(57)【要約】【課題】簡易な方式でアイソレーションをとることが可能な低雑音コンバータを提供する。【解決手段】３つの高周波スイッチ１１Ａ〜１１Ｃを組み合わせたスイッチＩＣ（高周波選択回路）２５を設ける。高周波スイッチ１１Ａ，１１Ｂと高周波スイッチ１１Ｃとを電気的に結合する配線同士が互いに交差しないように接続することにより、交差する構造を回避する。【選択図】図１
2009094783.tif 000002
【特許請求の範囲】
【請求項１】
複数種類の偏波信号を受信する衛星放送受信用低雑音コンバータの内部回路に設けられ、第１〜第８の中間周波数信号を選択的に第１および第２の端子に出力する８入力２出力高周波選択回路であって、
４入力２出力の第１〜第３の高周波スイッチを備え、
前記第１の高周波スイッチは、４つの入力端子に前記第１〜第４の中間周波数信号の入力を受け、２つの出力端子からそれぞれ前記第１および第２の端子から出力するための中間周波数信号を出力し、
前記第２の高周波スイッチは、４つの入力端子に前記第５〜第８の中間周波数信号の入力を受け、２つの出力端子からそれぞれ前記第１および第２の端子から出力するための中間周波数信号を出力し、
前記第３の高周波スイッチは、４つの入力端子に前記第１および第２の高周波スイッチの出力端子からの入力を受けて、選択的に前記第１および第２の端子に中間周波数信号を出力し、
前記第１および第２の高周波スイッチの４つ出力端子と前記第３の高周波スイッチの４つの入力端子との間を電気的に結合するための４つの配線をさらに備え、
各前記配線は、互いに交差しないように接続される、８入力２出力高周波選択回路。
【請求項２】
請求項１に記載の前記８入力２出力高周波選択回路を少なくとも１つ備える、衛星放送用高周波スイッチボックス。
【請求項３】
複数種類の偏波信号を受信して、複数の中間周波数信号にそれぞれ変換する周波数変換部と、
変換された中間周波数信号を出力する第１および第２の端子と、
前記第１および第２の端子と前記周波数変換部との間に設けられ、選択信号に従って前記複数の中間周波数信号の中から２つの中間周波数信号を選択して前記第１および第２の端子にそれぞれ出力する選択部とを備え、
前記周波数変換部は、第１および第２の偏波信号を受けて、第１〜第４の中間周波数信号に変換するとともに、第３および第４の偏波信号を受けて、第５〜第８の中間周波数信号に変換し、
前記選択部は、４入力２出力の第１〜第３の高周波スイッチを含み、
前記第１の高周波スイッチは、４つの入力端子に前記第１〜第４の中間周波数信号の入力を受け、２つの出力端子からそれぞれ前記第１および第２の端子から出力するための中間周波数信号を出力し、
前記第２の高周波スイッチは、４つの入力端子に前記第５〜第８の中間周波数信号の入力を受け、２つの出力端子からそれぞれ前記第１および第２の端子から出力するための中間周波数信号を出力し、
前記第３の高周波スイッチは、４つの入力端子に前記第１および第２の高周波スイッチの出力端子からの入力を受けて、選択的に前記第１および第２の端子に中間周波数信号を出力し、
前記選択部は、前記第１および第２の高周波スイッチの４つ出力端子と前記第３の高周波スイッチの４つの入力端子との間を電気的に結合するための４つの配線をさらに含み、
各前記配線は、互いに交差しないように接続される、低雑音コンバータ。
【請求項４】
変換された中間周波数信号を出力するｎ組（ｎ≧２）の前記第１および第２の端子と、
前記ｎ組の第１および第２の端子にそれぞれ対応して前記周波数変換部との間に設けられ、選択信号に従って前記複数の中間周波数信号の中から２つの中間周波数信号を選択して対応する第１および第２の端子にそれぞれ出力するｎ個の選択部とを設け、
各前記ｎ個の選択部は、前記第１〜第３の高周波スイッチおよび前記４つの配線を含む、請求項３記載の低雑音コンバータ。
【請求項５】
前記ｎ個の選択部は、各々互いに別基板に形成される、請求項４記載の低雑音コンバータ。
【発明の詳細な説明】
【技術分野】
【０００１】
本発明は、衛星放送受信器に用いられる８入力２出力高周波選択回路、衛星放送用高周波スイッチボックスおよび低雑音コンバータ（ＬＮＢ：Low Noise Block down-converter）に関する。
【背景技術】
【０００２】
図６は、代表的な衛星放送受信システムを示す図である。
図６を参照して、低雑音コンバータ（ＬＮＢ）１０２は、アンテナ１０１に取付けられる。アンテナ１０１は放送衛星１１０から到来する１２ＧＨｚ帯（１１．７１ＧＨｚ〜１２．０１ＧＨｚ）の周波数の信号を受信する。
【０００３】
低雑音コンバータ１０２は、放送衛星１１０から到来する微弱電波を１ＧＨｚ帯のＩＦ信号に周波数変換し、かつ、低雑音増幅して、次に接続されるいわゆるＤＢＳチューナ１０４に供給する。ＤＢＳチューナ１０４には低雑音コンバータ１０２の働きにより低雑音でかつ十分なレベルの信号が供給される。ＤＢＳチューナ１０４は、同軸ケーブル１０３から与えられるＩＦ信号を内部回路によって処理し、テレビジョン１０５に与える。
【０００４】
図７は、一般的な低雑音コンバータの回路の一例を示すブロック図である。
図７を参照して、１２ＧＨｚ帯の到来信号は、フィードホーン（導波管）２０２内のアンテナプローブ２０３で受信され、その後、ＬＮＡ（Low Noise Amplifier）２０４で低雑音増幅された後、所望の周波数帯域を通過させイメージ周波数帯域の信号を除去する役目を持つバンドパスフィルタ（Band Pass Filter）２０６を通過する。その後、バンドパスフィルタ２０６を通過した信号は、混合回路（Mixer）２０８によって局部発振器２１８からの１０．６７８ＧＨｚの局部発振信号と混合され、１ＧＨｚ帯の中間周波数信号つまりＩＦ（Intermediate Frequency）信号に周波数変換される。混合回路２０８の出力は、中間周波数増幅器２１０において適切な雑音特性と利得特性を持つように増幅され、キャパシタ２１２を介して端子Ｐ１に伝達される。また、低雑音コンバータは、インダクタ２１４を介して直流電圧を受けて必要な電源電流やバイアス電圧をＬＮＡ２０４、局発振器２１８および中間周波数増幅器２１０に与える電源制御部２２０が設けられ、ＩＦ信号の電源系への侵入を防ぐために端子Ｐ１と電源制御部２２０とが接続されるノードにはインダクタ２１４とキャパシタ２１６とが接続されている。
【０００５】
また、低雑音コンバータには、放送衛星からの周波数の異なる２つのバンドの到来信号を、異なる２種類の周波数の局部発振器にて周波数変換をして、それぞれ切り換えて使用し、また、到来信号の２種類の偏波（水平偏波（Ｈ偏波）、垂直偏波（Ｖ偏波））をＬＮＡ初段素子を切り換えて受信する低雑音コンバータがある（ユニバーサルＬＮＢとも称される）。
【０００６】
図８は、ユニバーサル低雑音コンバータの回路の一例を示すブロック図である。
図８を参照して、ユニバーサル低雑音コンバータは、フィードホーン２０２＃と、フィードホーン２０２＃から与えられるＶ偏波信号およびＨ偏波信号を選択的に増幅するＬＮＡ２０４＃と、ＬＮＡ２０４＃の出力を帯域制限するバンドパスフィルタ２０６と、局部発振器２１８Ａ，２１８Ｂと、局部発振器２１８Ａ，２１８Ｂから与えられる局部発振信号とバンドパスフィルタ２０６との出力を混合することにより中間周波数に変換する混合回路２０８と、混合回路２０８の出力を増幅する中間周波数増幅器２１０と、中間周波数増幅器２１０の出力と端子Ｐ１との間に結合されるキャパシタ２１２とを含む。
【０００７】
また、ユニバーサル低雑音コンバータは、さらに、直流電圧を伝達するためのインダクタ２１４と、インダクタ２１４を介して直流電圧を受けてＬＮＡ２０４＃および局部発振器２１８Ａ，２１８Ｂならびに中間周波数増幅器２１０に電源供給を行なう電源制御部２２０＃とを含む。なお、ＩＦ信号の電源系への侵入を防ぐために端子Ｐ１と電源制御部２２０＃とが接続されるノードにはインダクタ２１４とキャパシタ２１６とが接続されている。
【０００８】
ＬＮＡ２０４＃は、Ｖ偏波信号を増幅する増幅回路２０５Ａと、Ｈ偏波信号を増幅する増幅回路２０５Ｂと、増幅回路２０５Ａおよび２０５Ｂの出力に入力が結合される増幅回路２０５Ｃとを含む。
【０００９】
局部発振器２１８Ａは、第１の局部発振信号（９．７５ＧＨｚ）を出力する。局部発振器２１８Ｂは、局部発振器２１８Ａよりも高い周波数の第２の局部発振信号（１０．６ＧＨｚ）を出力する。
【００１０】
電源制御部２２０＃は、屋内のチューナがＶ偏波信号を受信するかＨ偏波信号を受信するかによって選択的に増幅回路２０５Ａあるいは２０５Ｂに電圧を供給する。また、選択的に局部発振器２１８Ａあるいは２１８Ｂに電圧を供給することにより、局部発振器の高／低周波数の切換が可能である。
【００１１】
一方、２つあるいは３つ以上の出力端子を持ち、各出力端子のそれぞれから任意の信号、または固定された信号を出力することが可能な回路を持つ低雑音コンバータがある。
【００１２】
図９は、ユニバーサルツイン低雑音コンバータの回路の一例を示すブロック図である。
図９を参照して、ユニバーサルツイン低雑音コンバータは、フィードホーン２０３と、フィードホーン２０３によって受信されたＨ偏波信号を周波数変換して２つのＩＦ信号を出力する周波数変換部と、フィードホーン２０３によって受信されたＶ偏波信号を周波数変換して２つのＩＦ信号を出力する周波数変換部とを含む。
【００１３】
具体的には、Ｈ偏波信号を周波数変換する周波数変換部は、フィードホーン２０３によって受信されたＨ偏波信号を増幅するＬＮＡ２０４Ａと、ＬＮＡ２０４Ａの出力を２分配する分配器２０７Ａとを含む。
【００１４】
さらに、分配器２０７Ａの２つの出力からイメージ信号をそれぞれ除去するバンドパスフィルタ２０６Ａ，２０６Ｂと、局部発振器２１８Ａ，２１８Ｂと、局部発振器２１８Ａ，２１８Ｂからそれぞれ出力される局部発振信号（周波数９．７５ＧＨｚの信号および周波数１０．６ＧＨｚの信号）とバンドパスフィルタ２０６Ａ，２０６Ｂの出力とをそれぞれ混合する混合回路２０８Ａ，２０８Ｂと、混合回路２０８Ａ，２０８Ｂから出力される中間周波数帯のＩＦ信号をそれぞれ増幅する中間周波数増幅器２０９Ａ，２０９Ｂとを含む。
【００１５】
Ｖ偏波信号を周波数変換する周波数変換部は、フィードホーン２０３によって受信されたＶ偏波信号を増幅するＬＮＡ２０４Ｂと、ＬＮＡ２０４Ｂの出力を２分配する分配器２０７Ｂとを含む。さらに、分配器２０７Ｂの２つの出力からイメージ信号をそれぞれ除去するバンドパスフィルタ２０６Ｃ，２０６Ｄと、局部発振器２１８Ａ，２１８Ｂの両方から出力される局部発振信号とバンドパスフィルタ２０６Ｃ，２０６Ｄの出力とそれぞれ混合する混合回路２０８Ｃ，２０８Ｄと、混合回路２０８Ｃ，２０８Ｄから出力される中間周波数帯のＩＦ信号をそれぞれ増幅する中間周波数増幅器２０９Ｃ，２０９Ｄとを含む。
【００１６】
また、低雑音コンバータは、Ｈ偏波信号およびＶ偏波信号を周波数変換した周波数変換部から出力された４つのＩＦ信号の中から２つの信号を選択して出力する高周波選択回路２２５が設けられる。
【００１７】
また、低雑音コンバータは、さらに、高周波選択回路２２５から出力される中間周波数帯のＩＦ信号を増幅する中間周波数増幅器２１０Ａ，２１０Ｂと、中間周波数増幅器２１０Ａ，２１０Ｂの出力を端子Ｐ１，Ｐ２にそれぞれ伝達するキャパシタ２１２Ａ，２１２Ｂと、直流電圧を伝達するためのインダクタ２１４Ａ，２１４Ｂと、キャパシタ２１６Ａ，２１６Ｂとを含む。
【００１８】
また、低雑音コンバータは、電源制御部＋スイッチ制御部２２１をさらに含み、電源制御部＋スイッチ制御部２２１は、端子Ｐ１，Ｐ２から電圧を得て、低雑音コンバータに含まれる各回路に電源電圧を供給するとともに高周波選択回路２２５に対して出力を切り替えるための指示を行なう。具体的には、ＬＮＡ２０４Ａ，２０４Ｂで構成されるＬＮＡ群２０５、局部発振器２１８Ａ，２１８Ｂ、中間周波数増幅器２０９Ａ〜２０９Ｄで構成される第１の中間周波数増幅部２０９および中間周波数増幅器２１０Ａ，２１０Ｂで構成される第２の中間周波数増幅部２１１に対して電圧が供給される。
【００１９】
また、高周波選択回路２２５および電源制御部＋スイッチ制御部２２１により、各端子に出力される信号が選択される。具体的にはハイバンド（周波数帯が１１００〜２１５０ＭＨｚ）とローバンド（周波数帯が９５０〜１９５０ＭＨｚ）との選択およびＨ偏波信号とＶ偏波信号との選択が高周波選択回路２２５および電源制御部＋スイッチ制御部２２１により行なわれる。
【００２０】
上記のようなユニバーサルツイン低雑音コンバータで複数の放送衛星からの信号を受信する低雑音コンバータ（ＤＵＯ−ＬＮＢ）も存在する。
【００２１】
図１０は、低雑音コンバータ（ＤＵＯ−ＬＮＢ）の回路の一例を示すブロック図である。
【００２２】
図１０を参照して、低雑音コンバータは、フィードホーン２０３Ａ，２０３Ｂと、フィードホーン２０３Ａによって受信されたＨ偏波信号を周波数変換して２つのＩＦ信号を出力する周波数変換部と、フィードホーン２０３Ａによって受信されたＶ偏波信号を周波数変換して２つのＩＦ信号を出力する周波数変換部とを含む。フィードホーン２０３Ａに対応して設けられる周波数変換部については、図９で説明したユニバーサルツイン低雑音コンバータの周波数変換部の構成と同様であるのでその詳細な説明は繰り返さない。また、フィードホーン２０３Ｂに対応して設けられる周波数変換部についても図９で説明したユニバーサルツイン低雑音コンバータの周波数変換部の構成と同様である。なお、周波数変換器２１８Ａ，２１８Ｂからそれぞれ出力される局部発振信号（周波数９．７５ＧＨｚの信号および周波数１０．６ＧＨｚの信号）を増幅する局部発振信号増幅器２１９Ａ，２１９Ｂが局部発振器２１８Ａ，２１８Ｂと、混合回路２０８Ａ〜２０８Ｈの間にさらに設けられる。
【００２３】
そして、周波数変換部から出力された信号すなわち中間周波数増幅器２０９Ａ〜２０９Ｈから出力されたＩＦ信号は、高周波選択回路２２５＃に出力される。
【００２４】
また、低雑音コンバータは、さらに、高周波選択回路２２５＃から出力される中間周波数帯のＩＦ信号を増幅する中間周波数増幅器２１０Ａ，２１０Ｂと、中間周波数増幅器２１０Ａ，２１０Ｂの出力を端子Ｐ１，Ｐ２にそれぞれ伝達するキャパシタ２１２Ａ，２１２Ｂと、直流電圧を伝達するためのインダクタ２１４Ａ，２１４Ｂと、キャパシタ２１６Ａ，２１６Ｂとを含む。
【００２５】
また、低雑音コンバータは、電源制御部＋スイッチ制御部２２１＃をさらに含み、電源制御部＋スイッチ制御部２２１＃は、端子Ｐ１，Ｐ２から電圧を得て、低雑音コンバータに含まれる各回路に電源電圧を供給するとともに高周波選択回路２２５＃に対して出力を切り替えるための指示を行なう。
【００２６】
具体的には、ＬＮＡ２０４Ａ〜２０４Ｄで構成されるＬＮＡ群２０５＃、局部発振器２１８Ａ，２１８Ｂ、中間周波数増幅器２０９Ａ〜２０９Ｈで構成される第１の中間周波数増幅部２０９＃および中間周波数増幅器２１０Ａ，２１０Ｂで構成される第２の中間周波数増幅部２１１に対して電圧が供給される。
【００２７】
また、高周波選択回路２２５＃および電源制御部＋スイッチ制御部２２１＃により、各端子に出力される信号が選択される。
【００２８】
具体的には、高周波選択回路２２５＃は、４入力２出力の高周波スイッチ（４×２ＳＷ−ＩＣ）２１１Ａ，２１１Ｂと、ＳＰＤＴ（Single Pole Double Throw）スイッチ２１３Ａ，２１３Ｂを含む。
【００２９】
高周波スイッチ２１１Ａは、フィードホーン２０３Ａに対応して出力される中間周波数増幅器２０９Ａ〜２０９Ｄからの４つの中間周波数信号の入力を受けて、端子Ｐ１，Ｐ２にそれぞれ出力する中間周波数信号を選択する。
【００３０】
また、高周波スイッチ２１１Ｂは、フィードホーン２０３Ｂに対応して出力される中間周波数増幅器２０９Ｅ〜２０９Ｈからの４つの中間周波数信号の入力を受けて、端子Ｐ１，Ｐ２にそれぞれ出力する中間周波数信号を選択する。
【００３１】
ＳＰＤＴ２１３Ａは、高周波スイッチ２１１Ａ，２１１Ｂから端子Ｐ１に出力する中間周波数信号の入力をそれぞれ受けて、選択信号に従って選択的に中間周波数増幅器２１０Ａに出力する。
【００３２】
同様にＳＰＤＴ２１３Ｂは、高周波スイッチ２１１Ａ，２１１Ｂから端子Ｐ２に出力する中間周波数信号の入力をそれぞれ受け、選択信号に従って選択的に中間周波数増幅器２１０Ｂに出力する。
【００３３】
当該構成により、２つの放送衛星からの信号選択、ハイバンド（周波数帯が１１００〜２１５０ＭＨｚ）とローバンド（周波数帯が９５０〜１９５０ＭＨｚ）との選択およびＨ偏波信号とＶ偏波信号との選択が高周波選択回路２２５＃および電源制御部＋スイッチ制御部２２１＃により行なわれる。
【００３４】
上記の低雑音コンバータ（ＤＵＯ−ＬＮＢ）は、端子Ｐ１，Ｐ２の２出力の場合について説明したが、それ以外の例えば４出力の低雑音コンバータ（ＤＵＯ−ＬＮＢ）も存在する。
【００３５】
図１１は、低雑音コンバータ（ＤＵＯ−ＬＮＢ）の回路の別の一例を示すブロック図である。
【００３６】
図１１を参照して、低雑音コンバータは、図１０で説明した低雑音コンバータと比較して、さらに端子Ｐ３，Ｐ４を設けた点と、高周波選択回路２２５＃を高周波選択回路２２５＃Ａに置換した点とが異なる。さらに、周波数変換部から出力された信号すなわち中間周波数増幅器２０９Ａ〜２０９Ｈから出力されたＩＦ信号と、高周波選択回路２２５＃Ａとの間に分配器２１７Ａ〜２１７Ｈを設けた点が異なる。
【００３７】
高周波選択回路２２５＃Ａは、高周波選択回路２２５＃と比較して、さらに４入力２出力の高周波スイッチ（４×２ＳＷ−ＩＣ）２１１Ｃ，２１１Ｄと、ＳＰＤＴ（Single Pole Double Throw）スイッチ２１３Ｃ，２１３Ｄを設けた点が異なる。これらの高周波スイッチ２１１Ｃ，２１１Ｄと、ＳＰＤＴ２１３Ｃ，２１３Ｄは、高周波スイッチ２１１Ａ，２１１Ｂと、ＳＰＤＴ２１３Ａ，２１３Ｂとはアイソレーションをとるために別基板に形成されるものとする。
【００３８】
高周波スイッチ２１１Ａは、フィードホーン２０３Ａに対応して出力される中間周波数増幅器２０９Ａ〜２０９Ｄからの４つの中間周波数信号について、分配器２１７Ａ〜２１７Ｄの一方側からの信号出力を受けて、端子Ｐ１，Ｐ２にそれぞれ出力する中間周波数信号を選択する。
【００３９】
また、高周波スイッチ２１１Ｂは、フィードホーン２０３Ｂに対応して出力される中間周波数増幅器２０９Ｅ〜２０９Ｈからの４つの中間周波数信号について、分配器２１７Ｅ〜２１７Ｈの一方側からの信号出力を受けて、端子Ｐ１，Ｐ２にそれぞれ出力する中間周波数信号を選択する。
【００４０】
また、高周波スイッチ２１１Ｃは、フィードホーン２０３Ａに対応して出力される中間周波数増幅器２０９Ａ〜２０９Ｄからの４つの中間周波数信号について、分配器２１７Ａ〜２１７Ｄの他方側からの信号出力を受けて、端子Ｐ３，Ｐ４にそれぞれ出力する中間周波数信号を選択する。
【００４１】
また、高周波スイッチ２１１Ｄは、フィードホーン２０３Ｂに対応して出力される中間周波数増幅器２０９Ｅ〜２０９Ｈからの４つの中間周波数信号について、分配器２１７Ｅ〜２１７Ｈの他方側からの信号出力を受けて、端子Ｐ３，Ｐ４にそれぞれ出力する中間周波数信号を選択する。
【００４２】
ＳＰＤＴ２１３Ａは、高周波スイッチ２１１Ａ，２１１Ｂから端子Ｐ１に出力する中間周波数信号の入力をそれぞれ受けて、選択信号に従って選択的に中間周波数増幅器２１０Ａに出力する。
【００４３】
同様に、ＳＰＤＴ２１３Ｂは、高周波スイッチ２１１Ａ，２１１Ｂから端子Ｐ２に出力する中間周波数信号の入力をそれぞれ受け、選択信号に従って選択的に中間周波数増幅器２１０Ｂに出力する。
【００４４】
同様に、ＳＰＤＴ２１３Ｃは、高周波スイッチ２１１Ｃ，２１１Ｄから端子Ｐ３に出力する中間周波数信号の入力をそれぞれ受けて、選択信号に従って選択的に中間周波数増幅器２１０Ｃに出力する。
【００４５】
同様に、ＳＰＤＴ２１３Ｄは、高周波スイッチ２１１Ｃ，２１１Ｄから端子Ｐ４に出力する中間周波数信号の入力をそれぞれ受け、選択信号に従って選択的に中間周波数増幅器２１０Ｄに出力する。
【００４６】
上述したのと同様に当該構成により、２つの放送衛星からの信号選択、ハイバンド（周波数帯が１１００〜２１５０ＭＨｚ）とローバンド（周波数帯が９５０〜１９５０ＭＨｚ）との選択およびＨ偏波信号とＶ偏波信号との選択が高周波選択回路２２５＃および電源制御部＋スイッチ制御部２２１＃Ａにより行なわれる。
【００４７】
ここで、上記図１０に示す低雑音コンバータ（ＤＵＯ−ＬＮＢ）の場合、高周波選択回路２２５＃内の配線経路において、ＳＰＤＴ２１３Ａ，２１３Ｂに中間周波数信号を出力する場合の出力配線は、高周波スイッチ２１１ＡからＳＰＤＴ２１３Ｂへの経路および高周波スイッチ２１１ＢからＳＰＤＴ２１３Ａへの経路について、ＰＡ点において互いに交差する構造となる。
【００４８】
また、上記図１１に示す低雑音コンバータ（ＤＵＯ−ＬＮＢ）の場合、高周波選択回路２２５＃Ａ内の配線経路において、ＳＰＤＴ２１３Ａ，２１３Ｂに中間周波数信号を出力する場合の出力配線は、高周波スイッチ２１１ＡからＳＰＤＴ２１３Ｂへの経路および高周波スイッチ２１１ＢからＳＰＤＴ２１３Ａへの経路について、ＰＡ点において互いに交差する構造となり、さらに、ＳＰＤＴ２１３Ｃ，２１３Ｄに中間周波数信号を出力する場合の出力配線は、高周波スイッチ２１１ＣからＳＰＤＴ２１３Ｄへの経路および高周波スイッチ２１１ＤからＳＰＤＴ２１３Ｃへの経路について、ＰＢ点において互いに交差する構造となる。
【００４９】
当該同一基板平面上で信号経路が互いに交差する構造は、信号回路間のアイソレーションが不十分となるためジャンパ線等を用いて信号ラインを飛ばしたり、あるいは、両面基板の裏面側を用いて配線接続を行なったり、これらを組み合わせる設計が必要であった。  
【００５０】
または、多層基板を使い、交差する信号線のアイソレーションをとる設計が必要であった。
【００５１】
なお、アイソレーションを改善する技術文献として例えば、特開平６−２０４７１５号公報、特開２０００−３４１１６４号公報および特開２００３−２１８７２４号公報等が挙げられる。
【特許文献１】特開平６−２０４７１５号公報
【特許文献２】特開２０００−３４１１６４号公報
【特許文献３】特開２００３−２１８７２４号公報
【発明の開示】
【発明が解決しようとする課題】
【００５２】
しかしながら、当該同一基板平面上で信号経路が互いに交差する構造による、信号回路間のアイソレーションが不十分となることに対する、上記設計や、上記技術文献に記載されるような方式は、部品の配置、信号ライン及び電源ラインの配線パターンなど、レイアウトによりアイソレーション特性が影響を受ける。このため、製品毎にレイアウトが異なり、製品毎に設計検討が必要となるため、設計・原価のコストアップの要因となってきた。
【００５３】
本発明は、上記のような問題を解決するためになされたものであって、簡易な方式でアイソレーションをとることが可能な８入力２出力高周波選択回路、衛星放送用高周波スイッチボックスおよび低雑音コンバータを提供することを目的とする。
【課題を解決するための手段】
【００５４】
本発明に係る８入力２出力高周波選択回路は、複数種類の偏波信号を受信する衛星放送受信用低雑音コンバータの内部回路に設けられ、第１〜第８の中間周波数信号を選択的に第１および第２の端子に出力する８入力２出力高周波選択回路であって、４入力２出力の第１〜第３の高周波スイッチを含む。第１の高周波スイッチは、４つの入力端子に第１〜第４の中間周波数信号の入力を受け、２つの出力端子からそれぞれ第１および第２の端子から出力するための中間周波数信号を出力する。第２の高周波スイッチは、４つの入力端子に第５〜第８の中間周波数信号の入力を受け、２つの出力端子からそれぞれ第１および第２の端子から出力するための中間周波数信号を出力する。第３の高周波スイッチは、４つの入力端子に第１および第２の高周波スイッチの出力端子からの入力を受けて、選択的に第１および第２の端子に中間周波数信号を出力する。第１および第２の高周波スイッチの４つ出力端子と第３の高周波スイッチの４つの入力端子との間を電気的に結合するための４つの配線をさらに含む。各配線は、互いに交差しないように接続される。
【００５５】
衛星放送用高周波スイッチボックスは、上記記載の８入力２出力高周波選択回路を少なくとも１つ含む。
【００５６】
本発明に係る低雑音コンバータは、複数種類の偏波信号を受信して、複数の中間周波数信号にそれぞれ変換する周波数変換部と、変換された中間周波数信号を出力する第１および第２の端子と、第１および第２の端子と周波数変換部との間に設けられ、選択信号に従って複数の中間周波数信号の中から２つの中間周波数信号を選択して第１および第２の端子にそれぞれ出力する選択部とを含む。周波数変換部は、第１および第２の偏波信号を受けて、第１〜第４の中間周波数信号に変換するとともに、第３および第４の偏波信号を受けて、第５〜第８の中間周波数信号に変換する。選択部は、４入力２出力の第１〜第３の高周波スイッチを含む。第１の高周波スイッチは、４つの入力端子に第１〜第４の中間周波数信号の入力を受け、２つの出力端子からそれぞれ第１および第２の端子から出力するための中間周波数信号を出力する。第２の高周波スイッチは、４つの入力端子に第５〜第８の中間周波数信号の入力を受け、２つの出力端子からそれぞれ第１および第２の端子から出力するための中間周波数信号を出力する。第３の高周波スイッチは、４つの入力端子に第１および第２の高周波スイッチの出力端子からの入力を受けて、選択的に第１および第２の端子に中間周波数信号を出力する。選択部は、第１および第２の高周波スイッチの４つ出力端子と第３の高周波スイッチの４つの入力端子との間を電気的に結合するための４つの配線をさらに含む。各配線は、互いに交差しないように接続される。
【００５７】
好ましくは、変換された中間周波数信号を出力するｎ組（ｎ≧２）の第１および第２の端子と、ｎ組の第１および第２の端子にそれぞれ対応して周波数変換部との間に設けられ、選択信号に従って複数の中間周波数信号の中から２つの中間周波数信号を選択して対応する第１および第２の端子にそれぞれ出力するｎ個の選択部とを設ける。各ｎ個の選択部は、第１〜第３の高周波スイッチおよび４つの配線を含む。
【００５８】
特に、ｎ個の選択部は、各々互いに別基板に形成される。
【発明の効果】
【００５９】
本発明に係る８入力２出力高周波選択回路は、第１〜第３の高周波スイッチを含み、第１および第２の高周波スイッチの４つ出力端子と第３の高周波スイッチの４つの入力端子との間を電気的に結合するための４つの配線は、互いに交差しないように接続される。これにより、８入力２出力高周波選択回路内において同一基板平面上の高周波スイッチ間において、信号経路が互いに交差する構造ではないため簡易な方式でアイソレーションをとることができる。
【発明を実施するための最良の形態】
【００６０】
以下、本発明の実施の形態について図面を参照しながら詳細に説明する。なお、図中同一または相当部分には同一符号を付し、その説明は繰り返さない。
【００６１】
（実施の形態１）
図１は、本発明の実施の形態１に従う低雑音コンバータ（ＤＵＯ−ＬＮＢ）の回路の一例を示すブロック図である。
【００６２】
図１を参照して、本発明の実施の形態１に従う低雑音コンバータ１は、フィードホーン３Ａ，３Ｂと、フィードホーン３Ａによって受信されたＨ偏波信号を周波数変換して２つのＩＦ信号を出力する周波数変換部と、フィードホーン３Ａによって受信されたＶ偏波信号を周波数変換して２つのＩＦ信号を出力する周波数変換部とを含む。また、フィードホーン３Ｂによって受信されたＨ偏波信号を周波数変換して２つのＩＦ信号を出力する周波数変換部と、フィードホーン３Ｂによって受信されたＶ偏波信号を周波数変換して２つのＩＦ信号を出力する周波数変換部とを含む。
【００６３】
まず、フィードホーン３Ａに対応して設けられる周波数変換部について説明する。
フィードホーン３Ａに対応して設けられるＨ偏波信号を周波数変換する周波数変換部は、フィードホーン３Ａによって受信されたＨ偏波信号を増幅するＬＮＡ４Ａと、ＬＮＡ４Ａの出力を２分配する分配器７Ａとを含む。
【００６４】
さらに、分配器７Ａの２つの出力からイメージ信号をそれぞれ除去するバンドパスフィルタ６Ａ，６Ｂと、局部発振器１８Ａ，１８Ｂと、局部発振器１８Ａ，１８Ｂからそれぞれ出力される局部発振信号（周波数９．７５ＧＨｚの信号および周波数１０．６ＧＨｚの信号）を増幅する局部発振信号増幅器１９Ａ，１９Ｂと、局部発振器１８Ａ，１８Ｂの両方から出力される局部発振信号とバンドパスフィルタ６Ａ，６Ｂの出力とをそれぞれ混合する混合回路８Ａ，８Ｂと、混合回路８Ａ，８Ｂから出力される中間周波数帯のＩＦ信号をそれぞれ増幅する中間周波数増幅器９Ａ，９Ｂとを含む。なお、局部発振器１８Ａ，１８Ｂから出力される局部発振信号は、各周波数変換部で共通に用いられる。
【００６５】
Ｖ偏波信号を周波数変換する周波数変換部は、フィードホーン３Ａによって受信されたＶ偏波信号を増幅するＬＮＡ４Ｂと、ＬＮＡ４Ｂの出力を２分配する分配器７Ｂとを含む。さらに、分配器７Ｂの２つの出力からイメージ信号をそれぞれ除去するバンドパスフィルタ６Ｃ，６Ｄと、局部発振器１８Ａ，１８Ｂの両方から出力される局部発振信号とバンドパスフィルタ６Ｃ，６Ｄの出力とそれぞれ混合する混合回路８Ｃ，８Ｄと、混合回路８Ｃ，８Ｄから出力される中間周波数帯のＩＦ信号をそれぞれ増幅する中間周波数増幅器９Ｃ，９Ｄとを含む。
【００６６】
フィードホーン３Ｂに対応して設けられる周波数変換部についてもフィードホーン３Ａに対応して設けられる周波数変換部と同様の構成である。
【００６７】
具体的には、フィードホーン３Ｂに対応して設けられるＨ偏波信号を周波数変換する周波数変換部は、ＬＮＡ４Ｃと、ＬＮＡ４Ｃの出力を２分配する分配器７Ｃと、バンドパスフィルタ６Ｅ，６Ｆと、局部発振器１８Ａ，１８Ｂの両方から出力される局部発振信号とバンドパスフィルタ６Ｅ，６Ｆの出力とをそれぞれ混合する混合回路８Ｅ，８Ｆと、混合回路８Ｅ，８Ｆから出力される中間周波数帯のＩＦ信号をそれぞれ増幅する中間周波数増幅器９Ｅ，９Ｆとを含む。
【００６８】
フィードホーン３Ｂに対応して設けられるＶ偏波信号を周波数変換する周波数変換部は、ＬＮＡ４Ｄと、ＬＮＡ４Ｄの出力を２分配する分配器７Ｄと、バンドパスフィルタ６Ｇ，６Ｈと、局部発振器１８Ａ，１８Ｂの両方から出力される局部発振信号とバンドパスフィルタ６Ｇ，６Ｈの出力とそれぞれ混合する混合回路８Ｇ，８Ｈと、混合回路８Ｇ，８Ｈから出力される中間周波数帯のＩＦ信号をそれぞれ増幅する中間周波数増幅器９Ｇ，９Ｈとを含む。
【００６９】
また、低雑音コンバータ１は、Ｈ偏波信号およびＶ偏波信号を周波数変換した周波数変換部から出力された８つのＩＦ信号の中から２つの信号を選択して出力する高周波選択回路２５が設けられる。
【００７０】
また、低雑音コンバータ１は、さらに、高周波選択回路２５から出力される中間周波数帯のＩＦ信号を増幅する中間周波数増幅器１０Ａ，１０Ｂと、中間周波数増幅器１０Ａ，１０Ｂの出力を端子Ｐ１，Ｐ２にそれぞれ伝達するキャパシタ１２Ａ，１２Ｂと、直流電圧を伝達するためのインダクタ１４Ａ，１４Ｂと、キャパシタ１６Ａ，１６Ｂとを含む。
【００７１】
また、低雑音コンバータ１は、電源制御部＋スイッチ制御部２０をさらに含み、電源制御部＋スイッチ制御部２０は、端子Ｐ１，Ｐ２から電圧を得て、低雑音コンバータ１に含まれる各回路に電源電圧を供給するとともに高周波選択回路２５に対して出力を切り替えるための指示を行なう。
【００７２】
具体的には、ＬＮＡ４Ａ〜４Ｄで構成されるＬＮＡ群５、局部発振器１８Ａ，１８Ｂ、局部発振信号増幅器１９Ａ，１９Ｂ、中間周波数増幅器９Ａ〜９Ｈで構成される第１の中間周波数増幅部１０および中間周波数増幅器１０Ａ，１０Ｂで構成される第２の中間周波数増幅部１１に対して電圧が供給される。
【００７３】
また、高周波選択回路２５および電源制御部＋スイッチ制御部２０により、各端子に出力される信号が選択される。
【００７４】
具体的には、高周波選択回路２５は、４入力２出力の高周波スイッチ（４×２ＳＷ−ＩＣ）１１Ａ，１１Ｂと、１１Ｃとを含む。
【００７５】
高周波スイッチ１１Ａは、フィードホーン３Ａに対応して出力される中間周波数増幅器９Ａ〜９Ｄからの４つの中間周波数信号の入力を受けて、端子Ｐ１，Ｐ２にそれぞれ出力する中間周波数信号を選択する。
【００７６】
また、高周波スイッチ１１Ｂは、フィードホーン３Ｂに対応して出力される中間周波数増幅器９Ｅ〜９Ｈからの４つの中間周波数信号の入力を受けて、端子Ｐ１，Ｐ２にそれぞれ出力する中間周波数信号を選択する。
【００７７】
高周波スイッチ１１Ｃは、高周波スイッチ１１Ａ，１１Ｂから端子Ｐ１，Ｐ２に出力する中間周波数信号の入力をそれぞれ受けて、選択信号に従って選択的に中間周波数増幅器１０Ａ，１０Ｂに出力する。
【００７８】
当該構成により、２つの放送衛星からの信号選択、ハイバンド（周波数帯が１１００〜２１５０ＭＨｚ）とローバンド（周波数帯が９５０〜１９５０ＭＨｚ）との選択およびＨ偏波信号とＶ偏波信号との選択が高周波選択回路２５および電源制御部＋スイッチ制御部２０により行なわれる。
【００７９】
図２は、本発明の実施の形態１に従う高周波選択回路２５の構成を説明する図である。
図２を参照して、本発明の実施の形態１に従う高周波選択回路２５は、４入力２出力の高周波スイッチ（４×２ＳＷ−ＩＣ）１１Ａ，１１Ｂと、１１Ｃと、高周波スイッチ１１Ａ，１１Ｂの出力端子から高周波スイッチ１１Ｃの入力端子とを電気的に結合するための配線Ｌ１〜Ｌ４とを含む。
【００８０】
高周波スイッチ１１Ａは、入力端子ＰＩ１〜ＰＩ４と、出力端子ＰＯ１，ＰＯ２とを含む。入力端子ＰＩ１〜ＰＩ４は、それぞれ中間周波数増幅器９Ａ〜９Ｄからの中間周波数信号の入力をそれぞれ受ける。そして、中間周波数増幅器９Ａ〜９Ｄからの４つの中間周波数信号の中から端子Ｐ１，Ｐ２にそれぞれ出力する２つの中間周波数信号を選択して、端子Ｐ１，Ｐ２に対応する出力端子ＰＯ１，ＰＯ２から出力する。
【００８１】
高周波スイッチ１１Ｂは、入力端子ＰＩ５〜ＰＩ８と、出力端子ＰＯ３，ＰＯ４とを含む。入力端子ＰＩ５〜ＰＩ８は、それぞれ中間周波数増幅器９Ｅ〜９Ｈからの中間周波数信号の入力をそれぞれ受ける。そして、中間周波数増幅器９Ｅ〜９Ｈからの４つの中間周波数信号の中から端子Ｐ１，Ｐ２にそれぞれ出力する２つの中間周波数信号を選択して、端子Ｐ１，Ｐ２に対応する出力端子ＰＯ３，ＰＯ４から出力する。
【００８２】
高周波スイッチ１１Ｃは、入力端子ＰＩ９〜ＰＩ１２と、出力端子ＰＯ５，ＰＯ６とを含む。入力端子ＰＩ９〜ＰＩ１０は、高周波スイッチ１１Ａの出力端子ＰＯ１，２と配線Ｌ１，Ｌ２を介して電気的に結合される。なお、配線Ｌ１，Ｌ２は互いに交差しないように設けられる。また、入力端子ＰＩ１１，ＰＩ１２は、高周波スイッチ１１Ｂの出力端子ＰＯ３，ＰＯ４と配線Ｌ３，Ｌ４を介して電気的に結合される。なお、配線Ｌ３，Ｌ４は、互いに交差しないように設けられる。
【００８３】
そして、入力端子ＰＩ９〜ＰＩ１２に入力された４つの中間周波数信号の中から端子Ｐ１，Ｐ２にそれぞれ出力する２つの中間周波数信号を選択して、端子Ｐ１，Ｐ２に対応する出力端子ＰＯ５，ＰＯ６から出力する。
【００８４】
ここで、入力端子ＰＩ９，ＰＩ１１に入力される中間周波数信号は、前段の高周波スイッチ１１Ａ，１１Ｂにおいて端子Ｐ１に対応する出力端子ＰＯ１，ＰＯ３から出力された信号であるので選択指示に従っていずれか一方の信号が出力端子ＰＯ５から出力される。  
【００８５】
また、入力端子ＰＩ１０，ＰＩ１２に入力される中間周波数信号は、前段の高周波スイッチ１１Ａ，１１Ｂにおいて端子Ｐ２に対応する出力端子ＰＯ２，ＰＯ４から出力された信号であるので選択指示に従っていずれか一方の信号が出力端子ＰＯ６から出力される。
【００８６】
したがって、上記従来図１０で説明した低雑音コンバータ（ＤＵＯ−ＬＮＢ）の場合、には、高周波選択回路２２５＃内の配線経路において、ＰＡ点において互いに交差する構造となり、信号回路間のアイソレーションを取る設計が必要であるが、本実施の形態１に従う構成の如く３つの高周波スイッチ１１Ａ〜１１Ｃを組み合わせた高周波選択回路２５により、具体的には、高周波スイッチ１１Ａ，１１Ｂと高周波スイッチ１１Ｃとを電気的に結合する配線同士が互いに交差しないように接続することにより、交差する構造を回避し、当該同一基板平面上で信号経路が互いに交差する構造による、信号回路間のアイソレーションが不十分となることに対する、レイアウトの設計検討が不要となる。すなわち、当該構成により、簡易な方式で交差する構造を回避することができるため設計・原価のコストを低減した低雑音コンバータを実現することができる。
【００８７】
（実施の形態１の変形例）
図３は、本発明の実施の形態１の変形例に従う低雑音コンバータ（ＤＵＯ−ＬＮＢ）の回路の一例を示すブロック図である。
【００８８】
図３を参照して、低雑音コンバータ１＃は、図１で説明した低雑音コンバータ１と比較して、さらに端子Ｐ３，Ｐ４を設けた点と、高周波選択回路２５を高周波選択回路２５＃に置換した点とが異なる。さらに、周波数変換部から出力された信号すなわち中間周波数増幅器９Ａ〜９Ｈから出力されたＩＦ信号と、高周波選択回路２５＃との間に分配器１７Ａ〜１７Ｈを設けた点が異なる。また、端子Ｐ３，Ｐ４に対応して中間周波数増幅器１０Ｃ，１０Ｄと、キャパシタ１２Ｃ，１２Ｄ，１６Ｃ，１６Ｄと、インダクタ１４Ｃ，１４Ｄとをさらに設けた点が異なる。
【００８９】
高周波選択回路２５＃は、高周波選択回路２５と比較して、さらに４入力２出力の高周波スイッチ（４×２ＳＷ−ＩＣ）１１Ｄ〜１１Ｆを設けた点が異なる。これらの高周波スイッチ１１Ｄ〜１１Ｆと、高周波スイッチ１１Ａ〜１１Ｃとはアイソレーションをとるために別基板に形成されるものとする。
【００９０】
高周波スイッチ１１Ａは、フィードホーン３Ａに対応して出力される中間周波数増幅器９Ａ〜９Ｄからの４つの中間周波数信号について、分配器１７Ａ〜１７Ｄの一方側からの信号出力を受けて、端子Ｐ１，Ｐ２にそれぞれ出力する中間周波数信号を選択する。
【００９１】
また、高周波スイッチ１１Ｂは、フィードホーン３Ｂに対応して出力される中間周波数増幅器９Ｅ〜９Ｈからの４つの中間周波数信号について、分配器１７Ａ〜１７Ｄの一方側からの信号出力を受けて、端子Ｐ１，Ｐ２にそれぞれ出力する中間周波数信号を選択する。
【００９２】
また、高周波スイッチ１１Ｃは、高周波スイッチ１１Ａ，１１Ｂから端子Ｐ１，Ｐ２に出力する中間周波数信号の入力をそれぞれ受けて、選択信号に従って選択的に中間周波数増幅器１０Ａ，１０Ｂに出力する。
【００９３】
また、高周波スイッチ１１Ｄは、フィードホーン３Ａに対応して出力される中間周波数増幅器９Ａ〜９Ｄからの４つの中間周波数信号について、分配器１７Ａ〜１７Ｄの他方側からの信号出力を受けて、端子Ｐ３，Ｐ４にそれぞれ出力する中間周波数信号を選択する。
【００９４】
また、高周波スイッチ１１Ｅは、フィードホーン３Ｂに対応して出力される中間周波数増幅器９Ｅ〜９Ｈからの４つの中間周波数信号について、分配器１７Ａ〜１７Ｄの他方側からの信号出力を受けて、端子Ｐ３，Ｐ４にそれぞれ出力する中間周波数信号を選択する。
【００９５】
また、高周波スイッチ１１Ｆは、高周波スイッチ１１Ｄ，１１Ｅから端子Ｐ３，Ｐ４に出力する中間周波数信号の入力をそれぞれ受けて、選択信号に従って選択的に中間周波数増幅器１０Ｃ，１０Ｄに出力する。
【００９６】
上述したのと同様に当該構成により、２つの放送衛星からの信号選択、ハイバンド（周波数帯が１１００〜２１５０ＭＨｚ）とローバンド（周波数帯が９５０〜１９５０ＭＨｚ）との選択およびＨ偏波信号とＶ偏波信号との選択が高周波選択回路２５＃および電源制御部＋スイッチ制御部２０＃により行なわれる。
【００９７】
高周波スイッチ１１Ｄ〜１１Ｆの構成については、図２で説明した高周波スイッチ１１Ａ〜１１Ｃの構成と同様であるのでその詳細な説明は繰り返さない。
【００９８】
具体的には、高周波スイッチ１１Ｄ，１１Ｅの出力端子と高周波スイッチ１１Ｆの入力端子とが互いに交差しないように配線接続する。
【００９９】
当該構成により、上記従来図１１で説明した低雑音コンバータ（ＤＵＯ−ＬＮＢ）の場合、上記図１１に示す低雑音コンバータ（ＤＵＯ−ＬＮＢ）の場合、ＰＡ点およびＰＢ点において互いに交差する構造となり、信号回路間のアイソレーションを取る設計が必要であるが、本実施の形態１の変形例に従う構成の如く、３つの高周波スイッチ１１Ａ〜１１Ｃの組み合わせと同様に高周波スイッチ１１Ｄ〜１１Ｆを組み合わせた高周波選択回路２５＃により、具体的には、スイッチ間を電気的に結合する配線同士が互いに交差しないように接続することにより、交差する構造を回避し、当該同一基板平面上で信号経路が互いに交差する構造による、信号回路間のアイソレーションが不十分となることに対する、レイアウトの設計検討が不要となる。すなわち、当該構成により、簡易な方式で交差する構造を回避することができるため設計・原価のコストを低減した低雑音コンバータを実現することができる。
【０１００】
（実施の形態２）
上記の実施の形態においては、８つの中間周波数信号に対して２出力する高周波選択回路および８つの中間周波数信号に対して２出力する回路を２つもつ、４出力の高周波選択回路について説明したが、それ以上の入力および出力が可能な衛星放送用高周波スイッチボックスを設計することも可能である。
【０１０１】
図４は、本発明の実施の形態２に従う低雑音コンバータ（ＤＵＯ−ＬＮＢ）の一部を説明する図である。
【０１０２】
図４を参照して、例えば、高周波スイッチ１１Ａ〜１１Ｃを１組のスイッチ群として、ｎ（ｎ≧１）組のスイッチ群、および端子Ｐ１，Ｐ２の組を１組として、ｎ組の端子を設けることにより、８入力および２ｎ出力の高周波選択回路を設計することも可能である。なお、各組のスイッチ群は、それぞれ別基板に設けることが可能である。
【０１０３】
図５は、本発明の実施の形態２に従う低雑音コンバータ（ＤＵＯ−ＬＮＢ）の別の例の一部、又は、衛星放送用高周波スイッチボックス（衛星放送中間周波信号切り替え器）の一部を説明する図である。
【０１０４】
図５を参照して、例えば、高周波スイッチ１１Ａ〜１１Ｃを１組のスイッチ群として、ｎ（ｎ≧１）組のスイッチ群、および端子Ｐ１，Ｐ２の組を１組として、ｎ組の端子を設けるとともに、ｎ組のスイッチ群にそれぞれ８入力が入力する構成とすることも可能である。すなわち、８ｎ入力２ｎ出力の高周波選択回路を設計することも可能である。なお、各組のスイッチ群は、それぞれ別基板に設けることが可能である。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０６】
【図１】本発明の実施の形態１に従う低雑音コンバータ（ＤＵＯ−ＬＮＢ）の回路の一例を示すブロック図である。
【図２】本発明の実施の形態１に従う高周波選択回路２５の構成を説明する図である。
【図３】本発明の実施の形態１の変形例に従う低雑音コンバータ（ＤＵＯ−ＬＮＢ）の回路の一例を示すブロック図である。
【図４】本発明の実施の形態２に従う低雑音コンバータ（ＤＵＯ−ＬＮＢ）の一部を説明する図である。
【図５】本発明の実施の形態２に従う低雑音コンバータ（ＤＵＯ−ＬＮＢ）の別の例の一部、又は、衛星放送用高周波スイッチボックス（衛星放送中間周波信号切り替え器）の一部を説明する図である。
【図６】代表的な衛星放送受信システムを示す図である。
【図７】一般的な低雑音コンバータの回路の一例を示すブロック図である。
【図８】ユニバーサル低雑音コンバータの回路の一例を示すブロック図である。
【図９】ユニバーサルツイン低雑音コンバータの回路の一例を示すブロック図である。
【図１０】低雑音コンバータ（ＤＵＯ−ＬＮＢ）の回路の一例を示すブロック図である。
【図１１】低雑音コンバータ（ＤＵＯ−ＬＮＢ）の回路の別の一例を示すブロック図である。
【符号の説明】
【０１０７】
１，１＃，１０２  低雑音コンバータ、３Ａ，３Ｂ，２０２，２０２＃  フィードホーン、４Ａ〜４Ｄ，２０４，２０４＃，２０４Ａ〜２０４Ｄ  ＬＮＡ、５，２０５  ＬＮＡ群、６Ａ〜６Ｈ，２０６，２０６Ａ〜２０６Ｈ  バンドパスフィルタ、７Ａ〜７Ｄ，２０７Ａ〜２０７Ｄ，２１７Ａ〜２１７Ｈ  分配器、８Ａ〜８Ｈ，２０８，２０８Ａ〜２０８Ｈ  混合回路、９Ａ〜９Ｈ，１０Ａ〜１０Ｄ，２０９Ａ〜２０９Ｈ，２１０，２１０Ａ〜２１０Ｄ  中間周波数増幅器、１１Ａ〜１１Ｆ，２１１Ａ〜２１１Ｄ  高周波スイッチ、１２Ａ〜１２Ｄ，１６Ａ〜１６Ｄ，２１２，２１２Ａ〜２１２Ｄ，２１６，２１６Ａ〜２１６Ｄ  キャパシタ、１４Ａ〜１４Ｄ，２１４，２１４Ａ〜２１４Ｄ  インダクタ、１８Ａ，１８Ｂ，２１８，２１８Ａ，２１８Ｂ  局部発振器、１９Ａ，１９Ｂ  局部発振信号増幅器、２０，２０＃，２２１，２２１＃，２２１＃Ａ  電源制御部＋スイッチ制御部、１０１  アンテナ、１０３  同軸ケーブル、１０４  ＤＢＳチューナ、１０５  テレビジョン、１１０  放送衛星、２２０，２２０＃  電源制御部、Ｐ１〜Ｐ４  端子。
【図１】
2009094783.tif 000003
【図２】
2009094783.tif 000004
【図３】
2009094783.tif 000005
【図４】
2009094783.tif 000006
【図５】
2009094783.tif 000007
【図６】
2009094783.tif 000008
【図７】
2009094783.tif 000009
【図８】
2009094783.tif 000010
【図９】
2009094783.tif 000011
【図１０】
2009094783.tif 000012
【図１１】
2009094783.tif 000013